【手続補正書】
【提出日】平成24年3月26日(2012.3.26)
【手続補正１】
【補正対象書類名】特許請求の範囲
【補正対象項目名】全文
【補正方法】変更
【補正の内容】
【特許請求の範囲】
【請求項１】
単独あるいは他の基地局装置と協調して端末装置と通信を行う基地局装置であって、
前記協調した通信の実施の可否を設定する手段と、
前記協調した通信の実施の可否に応じて、参照信号の電力と前記参照信号を含む送信シンボルにおけるデータ信号の電力との比と、前記参照信号の電力と前記参照信号を含まない送信シンボルにおけるデータ信号の電力との比と、を決定する手段と、を有することを特徴とする基地局装置。
【請求項２】
前記参照信号の電力と前記参照信号を含む送信シンボルにおけるデータ信号の電力との比と、前記参照信号の電力と前記参照信号を含まない送信シンボルにおけるデータ信号の電力との比とを示す情報を、前記端末装置に送信する手段を有することを特徴とする請求項１に記載の基地局装置。
【請求項３】
他の基地局装置と協調した基地局装置と通信を行う端末装置であって、
参照信号の電力と前記参照信号を含む送信シンボルにおけるデータ信号の電力との比と、前記参照信号の電力と前記参照信号を含まない送信シンボルにおけるデータ信号の電力との比を示す情報を、前記基地局装置から受信する手段を有することを特徴とする端末装置。
【請求項４】
複数の基地局装置と端末装置との間で協調複数基地局通信を行う無線通信システムであって、参照信号を含む送信シンボルと、前記参照信号を含まない送信シンボルと、を用いて通信を行うマルチキャリア通信システムにおいて、
前記基地局装置の送信装置は少なくとも、
前記無線通信システムの基地局装置間ネットワークと通信を行う手段と、
前記協調複数基地局通信の実施の可否を設定する手段と、
前記参照信号の電力と前記参照信号を含む送信シンボルにおけるデータ信号の電力との比と、前記参照信号と前記参照信号を含まない送信シンボルにおけるデータ信号の電力比と、を決定する手段と、
前記参照信号の電力と前記参照信号を含む送信シンボルにおけるデータ信号の電力との比と、前記参照信号の電力と前記参照信号を含まない送信シンボルにおけるデータ信号の電力との比と、の情報のそれぞれを送信する手段と、を有し、
前記参照信号の電力と前記参照信号を含む送信シンボルにおけるデータ信号の電力との比と、前記参照信号の電力と前記参照信号を含まない送信シンボルにおけるデータ信号の電力との比を決定する前記手段は、前記協調複数基地局通信を実施しない場合の電力比設定および、前記協調複数基地局通信を実施する場合の電力比設定をそれぞれ行い、前記協調複数基地局通信の実施の可否により前記電力比を決定することを特徴とする無線通信システム。
【請求項５】
前記無線通信システムは、前記協調複数基地局通信を実施する場合には、前記協調複数基地局通信を行う基地局装置間で、前記参照信号の電力と前記参照信号を含む送信シンボルにおけるデータ信号の電力との比と、前記参照信号の電力と前記参照信号を含まない送信シンボルにおけるデータ信号の電力との比とを同じ値に設定することを特徴とする請求項４に記載の無線通信システム。
【請求項６】
前記基地局装置は、前記協調複数基地局通信を実施する場合には、前記協調複数基地局通信を行う基地局間で、前記参照信号の電力と前記参照信号を含む送信シンボルにおけるデータ信号の電力との比と、前記参照信号の電力と前記参照信号を含まない送信シンボルにおけるデータ信号の電力との比とを同じ値に設定し、前記参照信号を含まない送信シンボルにおけるデータ信号の電力と参照信号の電力との比を端末装置に通知することを特徴とする請求項４に記載の無線通信システム。
【請求項７】
前記基地局装置は、前記協調複数基地局通信を実施しない場合の電力比設定および、前記協調複数基地局通信を実施する場合の電力比設定をそれぞれ個別に端末装置へ通知することを特徴とする請求項４から６までのいずれか１項に記載の無線通信システム。
【請求項８】
複数の基地局装置と端末装置との間で協調複数基地局通信を行う無線通信システムであって、参照信号を含む送信シンボルと、前記参照信号を含まない送信シンボルと、を用いて通信を行うマルチキャリア通信システムにおける基地局装置であって、
前記基地局装置の送信装置は少なくとも、
前記無線通信システムの基地局装置間ネットワークと通信を行う手段と、
前記協調複数基地局通信の実施の可否を設定する手段と、
前記参照信号の電力と前記参照信号を含む送信シンボルにおけるデータ信号の電力との比と、前記参照信号の電力と前記参照信号を含まない送信シンボルにおけるデータ信号の電力との比と、を決定する手段と、
前記参照信号の電力と前記参照信号を含む送信シンボルにおけるデータ信号の電力との比と、前記参照信号の電力と前記参照信号を含まない送信シンボルにおけるデータ信号の電力との比と、の情報のそれぞれを送信する手段と、を有し、
前記参照信号の電力と前記参照信号を含む送信シンボルにおけるデータ信号の電力との比と、前記参照信号の電力と前記参照信号を含まない送信シンボルにおけるデータ信号の電力との比を決定する手段は、前記協調複数基地局通信を実施しない場合の電力比設定および、前記協調複数基地局通信を実施する場合の電力比設定をそれぞれ行い、前記協調複数基地局通信の実施の可否により前記電力比を決定することを特徴とする基地局装置。
【請求項９】
前記協調複数基地局通信を実施する場合には、前記協調複数基地局通信を行う基地局装置間で、前記参照信号の電力と前記参照信号を含む送信シンボルにおけるデータ信号の電力との比と、前記参照信号の電力と前記参照信号を含まない送信シンボルにおけるデータ信号の電力との比とを同じ値に設定することを特徴とする請求項８に記載の基地局装置。
【請求項１０】
前記協調複数基地局通信を実施する場合には、前記協調複数基地局通信を行う基地局間で、前記参照信号の電力と前記参照信号を含む送信シンボルにおけるデータ信号の電力との比と、前記参照信号の電力と前記参照信号を含まない送信シンボルにおけるデータ信号の電力との比とを同じ値に設定し、前記参照信号を含まない送信シンボルにおけるデータ信号の電力と参照信号の電力との比を端末装置に通知することを特徴とする請求項８に記載の基地局装置。
【請求項１１】
前記協調複数基地局通信を実施しない場合の電力比設定および、前記協調複数基地局通信を実施する場合の電力比設定をそれぞれ個別に端末装置へ通知することを特徴とする請求項８から１０までのいずれか１項に記載の基地局装置。
【請求項１２】
少なくとも複数の基地局装置と、端末装置との間で協調複数基地局通信を行う無線通信システムであって、参照信号を含む送信シンボルと、参照信号を含まない送信シンボルと、を用いて通信を行うマルチキャリア通信システムにおいて、
前記基地局装置の送信装置は少なくとも、
前記無線通信システムの基地局間ネットワークと通信を行う手段と、
前記協調複数基地局通信の実施の可否を設定する手段と、
前記参照信号の電力と前記参照信号を含む送信シンボルにおけるデータ信号の電力との比と、前記参照信号の電力と前記参照信号を含まない送信シンボルにおけるデータ信号の電力との比を決定する手段と、
前記参照信号の電力と前記参照信号を含む送信シンボルにおけるデータ信号の電力との比と、前記参照信号の電力と前記参照信号を含まない送信シンボルにおけるデータ信号の電力との比との情報をそれぞれ送信する手段と、を有し、
前記端末装置の受信装置は少なくとも、
前記協調複数基地局通信を行う各基地局装置の前記参照信号を受信する手段と、
各基地局装置から端末装置までの伝搬路推定を行う手段と、
各基地局装置における前記参照信号の電力と前記参照信号を含む送信シンボルにおけるデータ信号の電力との比と、前記参照信号の電力と前記参照信号を含まない送信シンボルにおけるデータ信号の電力との比との情報を受信する手段と、
前記協調複数基地局通信時の受信データ電力を算出する手段を有する端末装置であることを特徴とする無線通信システム。
【請求項１３】
少なくとも複数の基地局装置と、端末装置との間で協調複数基地局通信を行う無線通信システムであって、参照信号を含む送信シンボルと、参照信号を含まない送信シンボルと、を用いて通信を行うマルチキャリア通信システムにおいて、
前記基地局装置の送信装置は少なくとも、
前記無線通信システムの基地局間ネットワークと通信を行う手段と、
前記協調複数基地局通信の実施の可否を設定する手段と、
前記参照信号の電力と前記参照信号を含む送信シンボルにおけるデータ信号の電力との比と、前記参照信号の電力と前記参照信号を含まない送信シンボルにおけるデータ信号の電力との比を決定する手段と、
前記参照信号の電力と前記参照信号を含む送信シンボルにおけるデータ信号の電力との比と、前記参照信号の電力と前記参照信号を含まない送信シンボルにおけるデータ信号の電力との比との情報をそれぞれを送信する手段と、を有するマルチキャリア通信システムに用いられる端末装置であって、
前記端末装置の受信装置は少なくとも、
前記協調複数基地局通信を行う各基地局装置の前記参照信号を受信する手段と、
各基地局装置から端末装置までの伝搬路推定を行う手段と、
各基地局装置における前記参照信号の電力と前記参照信号を含む送信シンボルにおけるデータ信号の電力との比と、前記参照信号の電力と前記参照信号を含まない送信シンボルにおけるデータ信号の電力との比との情報を受信する手段と、
各基地局装置における前記参照信号の電力と前記参照信号を含まない送信シンボルにおけるデータ信号の電力との電力比情報を受信する手段と、
前記協調複数基地局通信時の受信データ電力を算出する手段を有する端末装置であることを特徴とする無線通信システム。
【請求項１４】
複数の基地局装置と端末装置との間で協調複数基地局通信を行う無線通信システムにおいて、参照信号を含む送信シンボルと、前記参照信号を含まない送信シンボルと、を用いて通信を行うマルチキャリア通信方法であって、
前記基地局装置は前記端末装置へ、単一基地局通信時の参照信号を含む送信シンボルにおける参照信号の電力と参照信号を含まない送信シンボルにおけるデータ信号の電力との比の情報と、単一基地局通信時の参照信号を含む送信シンボルにおけるデータ信号の電力と参照信号を含まない送信シンボルにおけるデータ信号の電力との比の情報とを端末装置へ送信するステップと、
前記協調複数基地局通信を行う場合に前記協調複数基地局通信時の参照信号を含む送信シンボルにおける参照信号の電力と参照信号を含まない送信シンボルにおけるデータ信号の電力との比、および協調複数基地局通信時の参照信号を含む送信シンボルにおけるデータ信号の電力と参照信号を含まない送信シンボルにおけるデータ信号の電力との比とを基地局装置間で同じ値に設定するステップと、
前記協調複数基地局通信時の、参照信号を含む送信シンボルにおける参照信号の電力と参照信号を含まない送信シンボルにおけるデータ信号の電力との比の情報と、参照信号を含む送信シンボルにおけるデータ信号の電力と参照信号を含まない送信シンボルにおけるデータ信号の電力との比の情報とを端末装置へ送信するステップと、協調複数基地局通信の実施の可否に応じて前記参照信号を含む送信シンボルにおける参照信号の電力と参照信号を含まない送信シンボルにおけるデータ信号の電力との比、および参照信号を含む送信シンボルにおけるデータ信号の電力と参照信号を含まない送信シンボルにおけるデータ信号の電力との比を切り替えるステップと、を有することを特徴とする基地局装置の送信方法。
【請求項１５】
複数の基地局装置と端末装置との間で協調複数基地局通信を行う無線通信システムにおいて、参照信号を含む送信シンボルと、前記参照信号を含まない送信シンボルと、を用いて通信を行うマルチキャリア通信方法であって、
前記基地局装置は前記端末装置へ、単一基地局通信時の参照信号を含む送信シンボルにおける参照信号の電力と参照信号を含まない送信シンボルにおけるデータ信号の電力との比の情報と、単一基地局通信時の参照信号を含む送信シンボルにおけるデータ信号の電力と参照信号を含まない送信シンボルにおけるデータ信号の電力との比の情報とを端末装置へ送信するステップと、
前記協調複数基地局通信を行う場合に前記協調複数基地局通信時の参照信号を含む送信シンボルにおける参照信号の電力と参照信号を含まない送信シンボルにおけるデータ信号の電力との比、および前記協調複数基地局通信時の参照信号を含む送信シンボルにおけるデータ信号の電力と参照信号を含まない送信シンボルにおけるデータ信号の電力との比とを基地局装置間で同じ値に設定するステップと、
前記協調複数基地局通信時の、参照信号を含む送信シンボルにおける参照信号の電力と参照信号を含まない送信シンボルにおけるデータ信号の電力との比の情報を、前記協調複数基地局通信時用の値として端末装置へ送信するステップと、前記協調基地局通信の実施の可否に応じて前記参照信号を含む送信シンボルにおける参照信号の電力と参照信号を含まない送信シンボルにおけるデータ信号の電力との比、および参照信号を含む送信シンボルにおけるデータ信号の電力と参照信号を含まない送信シンボルにおけるデータ信号の電力との比を切り替えるステップと、を有することを特徴とする基地局装置の送信方法。
【請求項１６】
複数の基地局装置と端末装置との間で協調複数基地局通信を行う無線通信システムにおいて、参照信号を含む送信シンボルと、前記参照信号を含まない送信シンボルと、を用いて通信を行うマルチキャリア通信方法であって、
前記端末装置は前記協調複数基地局通信を行う基地局装置毎に、基地局固有参照信号を受信するステップと、前記受信した基地局装置毎の基地局固有参照信号より、それぞれの基地局装置と端末装置との間のチャネル減衰量を算出するステップと、前記基地局装置毎に参照信号を含む送信シンボルにおける参照信号の電力と参照信号を含まない送信シンボルにおけるデータ信号の電力との比の情報、および参照信号を含む送信シンボルにおけるデータ信号の電力と参照信号を含まない送信シンボルにおけるデータ信号の電力との比の情報とを受信するステップと、
前記基地局装置毎の、前記基地局固有参照信号および前記算出した基地局装置と端末装置との間のチャネル減衰量、および前記受信した参照信号を含む送信シンボルにおける参照信号の電力と参照信号を含まない送信シンボルにおけるデータ信号の電力との比の情報、および前記参照信号を含む送信シンボルにおけるデータ信号の電力と参照信号を含まない送信シンボルにおけるデータ信号の電力との比の情報、とから受信データ信号の電力を算出するステップと、を有することを特徴とする端末装置の受信方法。
【請求項１７】
請求項１４から１６までのいずれか１項に記載の送受信方法をコンピュータに実行させるためのプログラム。
【請求項１８】
請求項１７に記載のプログラムを記録するコンピュータ読みとり可能な記録媒体。